(57)【要約】      （修正有）【課題】採集する尿の汚染や蒸発、腐敗等を防いでペットから排泄される尿を簡単に採集できるペット用尿採集トイレを提供する。【解決手段】ペット用尿採集トイレは、トイレ本体と、該トイレ本体内を上層部分Ａと下層部分Ｂとに区画する尿透過性の仕切層３を備えたものであって、前記トイレ本体の前記下層部分Ｂに、ペットから排泄されて前記仕切層３を通過した尿を集める集合部７２を備えた尿採集カバー７が配置され、該尿採集カバー７の下方に冷却器８が配置されているトイレである。尚、トイレ本体の上層部分Ａの仕切層３の上に、ペットから排泄される尿を受ける尿採集カバー７を配置し、下層部分Ｂに冷却器８と採尿カップを配置しても良い。【選択図】図３
2020078281.tif 000002
【特許請求の範囲】
【請求項１】
トイレ本体と、該トイレ本体内を上層部分と下層部分とに区画する尿透過性の仕切層を備えたペット用尿採集トイレであって、
前記下層部分に、ペットから排泄されて前記仕切層を通過した尿を集める集合部を備えた尿採集カバーが配置され、該尿採集カバーの下方に冷却器が配置されているペット用尿採集トイレ。
【請求項２】
前記尿採集カバーと前記冷却器とが離間して配置されている請求項１記載のペット用尿採集トイレ。
【請求項３】
前記尿採集カバーの前記集合部に開口部を設け、該開口部の下方に採尿カップが配置されている請求項１又は２記載のペット用尿採集トイレ。
【請求項４】
前記採尿カップの周囲に前記冷却器が配置されている請求項３記載のペット用尿採集トイレ。
【請求項５】
前記採尿カップと前記冷却器とが離間して配置されている請求項４記載のペット用尿採集トイレ。
【請求項６】
前記開口部が前記尿採集カバーの中央又は端部に設けられている請求項３〜５の何れか１項に記載のペット用尿採集トイレ。
【請求項７】
前記開口部にフィルタを設けた請求項３〜６の何れか１項に記載のペット用尿採集トイレ。
【請求項８】
前記尿採集カバーが前記集合部に向って斜め下方に傾斜する斜面を有する請求項１〜７の何れか１項に記載のペット用尿採集トイレ。
【請求項９】
前記尿採集カバーに、前記集合部に向かう溝部を設けた請求項１〜８の何れか１項に記載のペット用尿採集トイレ。
【請求項１０】
トイレ本体と、該トイレ本体内を上層部分と下層部分とに区画する尿透過性の仕切層を備えたペット用尿採集トイレであって、
前記上層部分に、ペットから排泄される尿を集める集合部を備えた尿採集カバーが配置され、前記下層部分に冷却器が配置されているペット用尿採集トイレ。
【請求項１１】
前記尿採集カバーの集合部に開口部を設け、前記尿採集カバーに設けられた前記開口部の下方で且つ前記下層部分に、採尿カップが配置されている請求項１０記載のペット用尿採集トイレ。
【発明の詳細な説明】
【技術分野】
【０００１】
本発明は、ペットが排泄する尿を冷却しながら採集することができるペット用尿採集トイレに関する。
【背景技術】
【０００２】
例えば、屋内で猫や犬等のペットの排泄物を処理するためのペット用トイレが既に提案されて実用に供されている。このペット用トイレは、トイレ本体と、該トイレ本体内を上層部分と下層部分とに区画する尿透過性の仕切層を備え、前記下層部分に、尿を受けるためのトレー等の尿受け部を設けて構成されている（例えば、特許文献１及び２参照）。
【先行技術文献】
【特許文献】
【０００３】
【特許文献１】特開２０１５−１２３０７８号公報
【特許文献２】特開２０１５−１５９７８２号公報
【発明の概要】
【発明が解決しようとする課題】
【０００４】
ペットの健康管理の一環として、ペットの尿を採集して該ペットの健康状態を検査することが行われている。この検査は、ペットの腎臓病、肝臓病、下部尿路疾患、糖尿病等の早期発見に有効であり、尿のｐＨ値や比重の測定、尿の色や濁り具合等の目視観察等によって行われている。
【０００５】
特許文献１及び２に記載のペット用トイレで、尿を採集する場合、ペットの排泄尿をトレーで受け、この受けられた尿をトレーから採尿カップ等に移し替えて採集することが行われている。この場合、周囲の温度（室温等）が高いと、トレーに採集した尿の水分が蒸発するため、該尿の比重が経時的に高くなってしまい、ペットから排泄された直後の尿の比重よりも大きな値を示すために正確な尿検査を行うことができないという問題がある。その他、周囲の温度が高いと、採集した尿の腐敗が進行し、尿のｐＨ値や尿中に含まれる成分値等が変動するために正確な尿検査を行うことができないという問題もある。
【０００６】
本発明は上記問題に鑑みてなされたもので、その課題は、採集する尿の汚染や蒸発、腐敗等を防いでペットから排泄される尿を簡単に採集できるペット用尿採集トイレを提供することにある。
【課題を解決するための手段】
【０００７】
本発明は、トイレ本体と、該トイレ本体内を上層部分と下層部分とに区画する尿透過性の仕切層を備えたペット用尿採集トイレであって、
前記下層部分に、ペットから排泄されて前記仕切層を通過した尿を集める集合部を備えた尿採集カバーが配置され、該尿採集カバーの下方に冷却器が配置されているペット用尿採集トイレを提供するものである。
【０００８】
また、本発明は、トイレ本体と、該トイレ本体内を上層部分と下層部分とに区画する尿透過性の仕切層を備えたペット用尿採集トイレであって、
前記上層部分に、ペットから排泄される尿を集める集合部を備えた尿採集カバーが配置され、前記下層部分に冷却器が配置されているペット用尿採集トイレを提供するものである。
【発明の効果】
【０００９】
本発明のペット用尿採集トイレによれば、採集する尿の汚染や蒸発、腐敗等を防いでペットから排泄される尿を簡単に採集することができる。
【図面の簡単な説明】
【００１０】
【図１】図１は、本発明のペット用尿採集トイレの第１実施形態について排泄物処理材を省略して示す斜視図である。
【図２】図２は、第１実施形態のペット用尿採集トイレの斜視図である。
【図３】図３は、第１実施形態のペット用尿採集トイレの分解斜視図である。
【図４】図４（ａ）は第１実施形態のペット用尿採集トイレの尿採集カバーの平面図、図４（ｂ）は同尿採集カバーの側面図である。
【図５】図５は、第１実施形態のペット用尿採集トイレにおける尿採集カバーのトレーへの配置状態の例を示す断面図である。
【図６】図６は、第１実施形態のペット用尿採集トイレにおける尿採集カバーのトレーへの配置状態の例を示す断面図である。
【図７】図７は、尿採集カバーの平面図である。
【図８】図８は、開口部が端部に形成された尿採集カバーの平面図である。
【図９】図９は、開口部にフィルタが設けられた尿採集カバーの平面図である。
【図１０】図１０（ａ）は溝が形成された尿採集カバーの平面図、図１０（ｂ）は（ａ）のＣ−Ｃ線断面図である。
【図１１】図１１は、採尿カップの形状と冷却器の配置例を模式的に示す平面図である。
【図１２】図１２は、採尿カップの形状と冷却器の配置例を模式的に示す平面図である。
【図１３】図１３は、尿採集カバーの変形例を示す斜視図である。
【図１４】図１４は、第２実施形態のペット用尿採集トイレにおける尿採集カバーの配置状態を示す断面図である。
【図１５】図１５は、仕切層と一体化された尿採集カバーの斜視図である。
【発明を実施するための形態】
【００１１】
以下本発明を、その好ましい実施形態に基づいて説明する。
先ず、第１実施形態のペット用尿採集トイレの構成を図１〜図３に基づいて以下に説明する。
【００１２】
図１は第１実施形態のペット用尿採集トイレ１の排泄物処理材を省略して示す斜視図、図２は同ペット用尿採集トイレの斜視図、図３は同ペット用尿採集トイレの分解斜視図である。ペット用尿採集トイレ１は、トイレ本体２と、該トイレ本体２内を上層部分Ａと下層部分Ｂとに区画する尿透過性の仕切層３を備えている。そして、トイレ本体２の下層部分Ｂには、尿を受けるための尿受け部を構成するトレー４がトイレ本体２に対して出し入れ可能に設けられている。図２に示すように、仕切層３の上には、多孔質構造を有する粒状（ペレット状）の多数の排泄物処理材（チップ）２０が敷設されており、これらの排泄物処理材２０は、後述の内容器６内に収容されている。
【００１３】
トイレ本体２は、上面が開口する矩形ボックス状の外容器５と、該外容器５内に着脱可能に装着された矩形トレー状の内容器６を備えている。ここで、外容器５は、底面を形成する平坦な底壁５１と、該底壁５１の周縁から立ち上がって当該外容器５の側面を形成する周壁５２とを有しており、底壁５１と周壁５２によって囲まれた内側部分に内容器６とトレー４が収容されている。
【００１４】
内容器６も外容器５と同様に底壁６１と周壁６２を有しており、これらの底壁６１と周
壁６２によって囲まれた内側部分に、仕切層３の上に敷設された前記排泄物処理材２０が収容されている（図２参照）。そして、この内容器６の底壁６１は、尿透過性の仕切層３として機能する。底壁６１は、略矩形の板状部材で構成されており、図１及び図３に示すように、該底壁６１には細長い矩形スリット状の複数の貫通孔６３が上下方向に貫設されている。ここで、複数の貫通孔６３は、長手方向及び幅方向にそれぞれ所定の間隔をおいて整然と配列されてスノコ部分６４を形成しており、各貫通孔６３の幅は、粒状の排泄物処理材２０（図２参照）が通過しない程度の大きさに設定されている。
【００１５】
トレー４は、底面を形成する平坦な底壁４１と、該底壁４１の周縁から斜めに立ち上がって当該トレー４の側面を形成する周壁４２，４３，４４とを有しており、平面視で略四角形状を成す容器として構成されている。ここで、トレー４の底壁４１は、外容器５の底壁５１と同等の面積を有している。トレー４の周壁４２〜４４の高さは、その上端部が内容器６の底壁６１（仕切層３）に接触しない値に設定されている。尚、トレー４の周壁４２〜４４は、何れも当該トレー４の長手方向（後述するトレー４の引き出し方向Ｘ）と直交するＹ方向（トレー４の幅方向）に延びており、一方の周壁４２は、当該トレー４の引き出し方向Ｘの前端側に位置し、他方の周壁４３は、引き出し方向Ｘの後端側に位置している。そして、トレー４の周壁４４は、当該トレー４の引き出し方向Ｘ（長手方向）に延びている。
【００１６】
前述のように、トレー４は、トイレ本体２（外容器５）に対して出し入れ可能であり、図３に示すように、外容器５の周壁５２の幅方向（Ｙ方向）の一方（トレー４の引き出し方向Ｘの前端側）に位置する部分には、幅方向に細長い矩形スリット状の開口部５２ａが形成されている。従って、トレー４は、開口部５２ａを通過してトイレ本体２（外容器５）から図３の矢印方向Ｘに引き出すことができるとともに、引き出したトレー４を開口部５２ａに差し込んでこれを矢印Ｘとは逆方向に押し込むことによって該トレー４をトイレ本体２（外容器５）内に収納することができる。ここで、外容器５に形成された開口部５２ａの形状と大きさは、トレー４の引き出し方向Ｘと直交するＹ方向（幅方向）の断面形状と大きさと略同じになるように設定されている。又、トレー４の長手方向（引き出し方向Ｘ）の長さは、外容器５の長手方向の長さと同等に設定されている。
【００１７】
図３に示すように、トレー４の引き出し方向Ｘの前端側に位置する周壁４２の上端には、トレー４の外側方に向かって略水平に延びるフランジ部４５が一体に延設されている。そして、このフランジ部４５の先端部には、鉛直下方に向かって延びる返し部４６が一体に形成されており、この返し部４６は、当該トレー４を引き出す際に指を掛けるための把手として機能する。
【００１８】
トイレ本体２を構成するトレー４と外容器５及び内容器６（仕切層３）の材質としては、耐食性を有するものであれば特に制限はないが、軽量で取り扱い易く、成形性に優れているものが好ましい。具体的には、ポリプロピレン、ポリエチレン、ポリエチレンテレフタレート、塩化ビニル、アクリロニトリル−ブタジエン−スチレン共重合体（ＡＢＳ）等の汎用の合成樹脂が好適に用いられる。又、トイレ本体２の表面には、撥水加工や抗菌加工を施すことが好ましい。
【００１９】
多数の前記排泄物処理材２０は、トイレ本体２の仕切層３上に敷設された状態で図２に示すように内容器６内に収容されている。排泄物処理材２０としては、ペットの尿の組成や特性に影響を与えないか、殆んど与えないものが好ましく、例えば、ガラス、ポリプロピレン、ポリエチレン等の合成樹脂、玉砂利等の鉱物等から成るものが好適に使用される。又、この排泄物処理材２０の形状としては、例えば、円筒形状、球状、立方体、直方体等が選定される。
【００２０】
本発明に係るペット用尿採集トイレ１においては、トイレ本体２内の仕切層３によって区画された下層部分Ｂに配置されるトレー４の内部には、図３に示すように、尿採集カバー７及び冷却器８が配置されている。ここで、尿採集カバー７は、矩形のシートによって構成されており、その材質には、プラスチック、ガラス、金属等が選定される。又、冷却器８としては、保冷剤、氷水やドライアイス等が収容された容器、ペルチエ素子等を含む電子機器等が用いられる。
【００２１】
尿採集カバー７は、トイレ本体２の仕切層３に形成された複数の貫通孔６３を有するスノコ部分６４を、下方から覆うことができる程度の大きさを有している。即ち、尿採集カバー７の大きさは、仕切層３のスノコ部分６４の大きさ以上、且つ、仕切層３の大きさ以下に設定され、その外周の長さは、仕切層３の外周の長さと同等の値に設定されている。
【００２２】
図４（ａ）には尿採集カバー７の平面図、図４（ｂ）には尿採集カバー７の側面図がそれぞれ示されている。図４（ａ）に示す尿採集カバー７の横寸法ａは、ａ＝２０ｃｍ〜７０ｃｍに設定され、縦寸法ｂは、ｂ＝１５ｃｍ〜６０ｃｍに設定され、或いはｂ／ａ＝０．２〜３に設定されている。
【００２３】
尿採集カバー７は、中心に向かって下方に絞られた漏斗状の形状に成形されている。尿採集カバー７においては、図４（ｂ）に示す高さｈは、ｈ＝０．５ｃｍ〜５ｃｍに設定され、斜面７１の傾斜角θは、θ＝２°〜３０°に設定されている。
【００２４】
尿採集カバー７のトレー４内への配置としては、図５又は図６に示すものが採用される。図５に示す配置状態においては、尿採集カバー７として、中心部に凹状の集合部７２が形成されたものが使用され、この尿採集カバー７の集合部７２の周囲に、該集合部７２を囲むように冷却器８が配置されている。ここで、尿採集カバー７の集合部７２と冷却器８とは、両者が直接接触しないように互いに離間して配置されている。その理由は、尿採集カバー７の集合部７２と冷却器８とが接触すると、結露によって尿採集カバー７の集合部７２に集められた尿に水滴が混入する可能性があるためである。
【００２５】
尿採集カバー７が図５に示すようにトレー４内に配置された状態では、該尿採集カバー７の集合部７２を除く斜面７１は、集合部７２に向かって斜め下方に傾斜する凸曲面を形成している。
【００２６】
次に、ペットが猫である場合に、図５に示すようにトレー４内に尿採集カバー７と冷却器８が配置されたペット用尿採集トイレ１によって猫の尿を採集する方法について説明する。
【００２７】
ペット用尿採集トイレ１は、例えば、屋内の水平な床面上に図２に示す状態で配置されてペットである猫の排泄に供される。そしてペット用尿採集トイレ１は、猫が排泄した尿を採集するために用いられる。即ち、猫は、ペット用尿採集トイレ１のトイレ本体２を乗り越え、該トイレ本体２の内容器６内に収容された多数の排泄物処理材２０の上に載った状態で排泄を行う。
【００２８】
すると、猫から排泄された尿は、内容器６の底壁６１（仕切層３）に形成された複数の貫通孔６３（図１及び図３参照）を通過し、その下の外容器５内に収容されたトレー４に向かって落下する。
【００２９】
本実施形態では、図５に示すように、トレー４上には、非吸水性の尿採集カバー７が配置されているため、猫が排泄した尿は、尿採集カバー７上に落下し、該尿採集カバー７の凸曲面状の斜面７１に沿って中心部の集合部７２へと流れて集められ、該集合部７２に溜
まる。そして、尿採集カバー７の集合部７２に溜まった尿は、集合部７２の周囲に配置された冷却器８によって冷却される。そのためペット用尿採集トイレ１によれば、尿から水分が蒸発したり、尿が腐敗して雑菌が繁殖する等の不具合が発生しにくい。
【００３０】
上述のように尿採集カバー７の中心部の集合部７２に尿が溜まると、トレー４のフランジ部４５の先端に形成された返し部４６（図３参照）に手を掛けてトレー４をトイレ本体２（外容器５）から図３の矢印Ｘ方向に引き出す。そして、引き出されたトレー４に配置された尿採集カバー７の集合部７２に溜まった尿は、例えば、スポイト等の不図示の吸引具によって吸い取ることができ、ペットから排泄される尿を簡単に採集できる。この吸引具に吸い取られた尿は、一端が開口する密封可能な不図示の容器に移し替えられる。そして、尿が収容された容器の開口部が栓によって密閉される。内部に尿が密封された容器は、動物病院に持ち込まれる。すると、動物病院では、持ち込まれた容器内の尿のｐＨ値や比重の測定、尿の色や濁り具合等の目視観察等によって所要の検査が行われる。この検査は、猫の腎臓病、肝臓病、下部尿路疾患、糖尿病等の疾患の早期発見に有効である。
【００３１】
尿の採集方法の他の例としては、しょう油差し等のような吸引機能を有する密閉可能な不図示の容器であってもよい。該容器は、キャップを外した状態で、尿採集カバー７の集合部７２に溜まった尿を容器によって直接吸い取った後、該容器はキャップによって密封される。この方法によって尿が密封された容器は、動物病院に持ち込まれて検査に供される。
【００３２】
以上のように、第１実施形態のペット用尿採集トイレ１によれば、トレー４に尿採集カバー７及び冷却器８が配置されている。その為、尿採集カバー７で尿を受けて集合部７２に溜め、この集合部７２に溜められた尿を冷却器８によって冷却でき、尿の蒸発や腐敗等を防いでペットから排泄される尿を簡単に採集できる。このように採集された尿を用いれば、正確な尿検査を行うことができる。尿検査を行う場合には、採集された尿を室温で保管すると、尿の蒸発による尿比重の上昇で、慢性腎臓病の判定結果に影響することが懸念されるため、排尿から３時間以上保冷されている状態のものを使用することが望ましい。
【００３３】
猫から排泄されて落下する尿を尿採集カバー７によって受け、この尿採集カバー７の集合部７２に溜まった尿を採集するようにしたため、採集する尿は、トレー４の汚れによって汚染されることがない。そして、尿を採集した後に尿採集カバー７をトレー４から取り除けば、トレー４に尿が付着することがない。そのため、尿の採集後にトレー４を掃除する必要がなく、掃除の手間を省略して飼い主の肉体的負担を軽減することができる。
【００３４】
図６に示す配置状態においては、図７に示すように、尿採集カバー７が中心部に矩形の集合部７２を備え、集合部７２の底面に開口部７３を有している。トレー４上に配された尿採集カバー７の開口部７３の下方に採尿カップ９が配置され、この採尿カップ９の周囲に冷却器８が配置されている。ここで、冷却器８と採尿カップ９は、両者が直接接触しないよう互いに離間して配置されている。尿採集カバー７は、中心部に開口部７３が形成されている以外は図４に示したものと形状や大きさを含めて同じである。
【００３５】
採尿カップ９は、天面の開口部の幅が、例えば１．０ｃｍ〜１０．０ｃｍに設定され、底面の幅が天面の開口部の幅と同様に、例えば１．０ｃｍ〜１０．０ｃｍに設定され、その高さが、例えば１．０ｃｍ〜５．０ｃｍに設定されている。
【００３６】
このような尿採集カバー７を備えるペット用尿採集トイレ１によっても、猫が排泄した尿を前述と同様の方法によって採集することができる。即ち、猫によって排泄された尿は、尿採集カバー７上に落下し、該尿採集カバー７の凸曲面状の斜面７１に沿って中心部の開口部７３へと流れ、該開口部７３から採尿カップ９へと落下して採集される。そして、
採尿カップ９に採集された尿は、採尿カップ９の周囲に配置された冷却器８によって冷却されるため、この尿から水分が蒸発したり、尿が腐敗して雑菌が繁殖する等の不具合が発生しにくい。
【００３７】
そして、上述のように採尿カップ９に尿が採集されると、トレー４をトイレ本体２（外容器５）から図３の矢印Ｘ方向に引き出す。そして、引き出されたトレー４内の採尿カップ９に収容された尿は、前述と同様に、スポイト等の不図示の吸引具によって吸い取ることができ、ペットから排泄される尿を簡単に採集できる。吸引具に吸い取られた尿は、一端が開口する密封可能な容器に移し替えられる。そして、尿が収容された容器の開口部が栓によって密閉される。内部に尿が密封された容器は、動物病院に持ち込まれ、動物病院で上述した所要の検査が行われる。
【００３８】
従って、図６に示すようにトレー４内に尿採集カバー７、冷却器８及び採尿カップ９が配置されているペット用尿採集トイレ１においても、ペットから排泄される尿の蒸発や腐敗等を防いでペットから排泄される尿を簡単に採集できる。このように採集された尿を用いれば、採集した尿の汚染や蒸発、腐敗等を防いで正確な尿検査に資することができる。
【００３９】
以上説明した実施形態においては、図７に示すとおり、開口部７３が中心部に形成された尿採集カバー７を用いたが、尿採集カバー７には、猫の排泄位置に合わせて、例えば、図８に示すように、中心部から外れた端部に開口部７３を形成しても良い。又、開口部７３の形状は、必ずしも矩形である必要はなく、矩形以外の例えば円形、楕円形、多角形であっても良い。
【００４０】
図９に示すように、尿採集カバー７の開口部７３にフィルタ１０を設けてもよい。フィルタ１０によって、排泄物処理材２０である猫砂等の粉やゴミ等の異物が除去でき、採尿カップ９に採集される尿に異物が混入するのを防ぐことができる。
【００４１】
図１０（ａ），（ｂ）に示すように、尿採集カバー７の斜面７１に、集合部７２の開口部７３に向かって放射状に延びる複数の溝７４（図１０（ａ）には一部のみ図示）を形成しても良い。ここで、図１０（ａ）は尿採集カバー７の平面図、図１０（ｂ）は図１０（ａ）のＣ−Ｃ線断面図である。図１０（ｂ）に示すように、溝７４の幅Ｗは、例えばＷ＝０．５ｃｍ〜２ｃｍに設定され、溝７４の高さＨは、例えばＨ＝１ｍｍ〜１０ｍｍに設定されている。このように尿採集カバー７に、開口部７３に向かう複数の溝７４を形成すると、尿採集カバー７上に落下した尿が溝７４に沿って流れ易くなるとともに、尿採集カバー７の溝７４以外の部分に尿が溜まることがないため、尿を採尿カップ９に効率良く流し込んで採集することができる。
【００４２】
ここで、採尿カップ９の形状と冷却器８の配置例を図１１及び図１２に基づいて以下に説明する。尚、図１１及び図１２は採尿カップ９の形状と冷却器８の配置例を模式的に示す平面図である。
【００４３】
図１１（ａ）に示す例では、採尿カップ９として平面視長方形のものを使用し、該採尿カップ９の周囲に冷却器８が平面視で長方形のリング状を成すように配置されている。図１１（ｂ）に示す例では、採尿カップ９として平面視で正方形のものを使用し、該採尿カップ９の周囲に冷却器８が平面視で正方形のリング状を成すように配置されている。又、図１１（ｃ）に示す例では、採尿カップ９として平面視で円形のものを使用し、該採尿カップ９の周囲に冷却器８が平面視で円形のリング状を成すように配置されている。
【００４４】
図１２（ａ），（ｂ）に示す例では、冷却器８を平面視で矩形の複数のブロック８１に区画し、これらが採尿カップ９の配置に応じて組み合わせて配置されるようになっている
。ここで、図１２（ａ）は採尿カップ９がトレー４の中心部に配置された例を示し、図１２（ｂ）は採尿カップ９がトレー４の中心部から外れた長手方向端部に配置された例を示している。
【００４５】
尿採集カバー７が形状を保持することが難しい可撓性シート等で構成されている場合には、該尿採集カバー７を図６に示すように冷却器８に直接接触しないように配置することは困難である。そのため、例えば、図１３に示すように、尿採集カバー７の四隅に、垂直下方に向かって延びる支持脚７５が取り付けられていてもよい。計４本の支持脚７５によって尿採集カバー７が略水平に支持されるため、該尿採集カバー７が冷却器８に接触することなくトレー４内に確実に配置することができる。
【００４６】
次に、第２実施形態のペット用尿採集トイレ１について説明するが、このペット用尿採集トイレ１のトイレ本体２の構成は、第１実施形態のトイレ本体２のそれと同じであるため、これについての図示及び説明は省略する。
【００４７】
第２実施形態のペット用尿採集トイレ１においては、図１４に示すように、トイレ本体２の上層部分Ａ、具体的には、仕切層３の上に尿採集カバー７が配置され、トイレ本体２の下層部分Ｂに出し入れ可能に配置されたトレー４内に冷却器８及び採尿カップ９が配置されている。ここで、尿採集カバー７は、第１実施形態において用いられた尿採集カバー７と同様に構成されており、その中心部に集合部７２を備え、集合部７２の底面に開口部７３が形成されている。尿採集カバー７の上には多数の排泄物処理材２０が敷設されている。
【００４８】
トイレ本体２の下層部分Ｂにおいて、採尿カップ９は、尿採集カバー７の開口部７３の下方に配置され、且つトレー４上に配置されている。採尿カップ９の周囲には冷却器８が採尿カップ９を囲むように配置されている。ここで、採尿カップ９と冷却器８は、両者が直接接触しないように互いに離間して配置されている。
【００４９】
以上のように構成されたペット用尿採集トイレ１を用いたときには、ペットである猫の尿が以下の要領で採集される。
即ち、猫は、図２に示すように、内容器６内に多数の排泄物処理材２０が収容されたペット用尿採集トイレ１のトイレ本体２を乗り越え、多数の排泄物処理材２０の上に載った状態で排泄を行う。
【００５０】
そして、排泄物処理材２０によって消臭された尿は、尿採集カバー７上に落下して開口部７３へと集められる。尿は、開口部７３から仕切層３の複数の貫通孔６３（図１及び図３参照）を通過し、トレー４上に配置された採尿カップ９へと落下して該採尿カップ９によって採集される。そして、採尿カップ９に採集された尿は、採尿カップ９の周囲に配置された冷却器８によって冷却されるため、この尿から水分が蒸発したり、尿が腐敗して雑菌が繁殖する等の不具合が発生しにくい。
【００５１】
上述のように採尿カップ９に尿が採集されると、トレー４をトイレ本体２（外容器５）から図３の矢印Ｘ方向に引き出し、引き出したトレー４に配置された採尿カップ９内の尿は、例えば、スポイト等の不図示の吸引具によって吸い取ることができ、ペットから排泄される尿を簡単に採集できる。この吸引具に吸い取られた尿は、一端が開口する密封可能な容器に移し替えられる。そして、尿が収容された容器の開口部が栓によって密閉される。内部に尿が密封された容器は、動物病院に持ち込まれ、動物病院で上述した所要の検査が行われる。
【００５２】
以上のように、第２実施形態のペット用尿採集トイレ１を用いて猫の尿を採集すれば、
猫から排泄されて尿採集カバー７の開口部７３から落下する尿を採尿カップ９によって受けて採集することができる。採集する尿は、トレー４の汚れによって汚染され難く、ペットから排泄される尿を簡単に採集できる。このように採集された尿を用いれば、正確な尿検査を行うことができる。そして、この場合、トレー４には尿が落下したり付着することがないため、尿を採集した後にトレー４を掃除する必要がなく、掃除の手間を省略して飼い主の肉体的負担が軽減される。
【００５３】
第２実施形態のペット用尿採集トイレ１においては、中心部に開口部７３が形成された尿採集カバー７を用いたが、尿採集カバー７には、猫の排泄位置に合わせて、例えば、図８に示す実施形態と同様に、中心部から外れた端部に開口部７３を形成しても良い。又、尿採集カバー７に形成される開口部７３は、必ずしも矩形である必要はなく、矩形以外の例えば円形、楕円形、多角形のものを形成しても良い。
【００５４】
第２実施形態のペット用尿採集トイレ１においては、図９に示す実施形態と同様に、尿採集カバー７の開口部７３にフィルタ１０を設け、猫砂等の粉やゴミ等の異物をフィルタ１０によって除去し、採尿カップ９に採集される尿への異物の混入を防ぐようにしても良い。
【００５５】
第２実施形態のペット用尿採集トイレ１においては、図１０（ａ），（ｂ）に示す実施形態と同様に、尿採集カバー７に、集合部７２の開口部７３に向かって放射状に延びる複数の溝７４（図１０（ａ）には一部のみ図示）を形成しても良い。このように尿採集カバー７に、開口部７３に向かう複数の溝７４を形成すると、尿採集カバー７上に落下した尿が溝７４に沿って流れ易くなるとともに、尿採集カバー７の溝７４以外の部分に尿が溜まることがないため、尿を採尿カップ９に効率良く流し込んで採集することができる。
【００５６】
その他、第２実施形態のペット用尿採集トイレ１においても、前記第１実施形態と同様に、採尿カップ９と冷却器８に関して、図１１及び図１２に示すような配置を採用しても良い。
【００５７】
第２実施形態のペット用尿採集トイレ１においては、使用される尿採集カバー７と仕切層３とを図１５に示すように一体化しても良い。
【００５８】
尚、以上はペットが猫である場合に該猫が排泄する尿を採集するためのペット用尿採集トイレとこれを用いた尿採集方法について説明したが、本発明は、猫以外の他の任意のペットの尿の採集するためのペット用尿採集トイレに対しても同様に適用可能である。
【００５９】
その他、本発明は、以上説明した実施の形態に適用が限定されるものではなく、特許請求の範囲及び明細書と図面に記載された技術的思想の範囲内で種々の変形が可能であることは勿論である。
【符号の説明】
【００６０】
１          ペット用尿採集トイレ
２          トイレ本体
３          仕切層
４          トレー（尿受け部）
４２〜４４  トレーの周壁
５          外容器
６          内容器
７          尿採集カバー
７１        尿採集カバーの斜面
７２        尿採集カバーの集合部
７３        尿採集カバーの開口部
７４        尿採集カバーの溝
８          冷却器
９          採尿カップ
１０        フィルタ
Ａ          上層部分
Ｂ          下層部分
【図１】
2020078281.tif 000003
【図２】
2020078281.tif 000004
【図３】
2020078281.tif 000005
【図４】
2020078281.tif 000006
【図５】
2020078281.tif 000007
【図６】
2020078281.tif 000008
【図７】
2020078281.tif 000009
【図８】
2020078281.tif 000010
【図９】
2020078281.tif 000011
【図１０】
2020078281.tif 000012
【図１１】
2020078281.tif 000013
【図１２】
2020078281.tif 000014
【図１３】
2020078281.tif 000015
【図１４】
2020078281.tif 000016
【図１５】
2020078281.tif 000017